(57)【要約】      （修正有）【課題】冷凍または冷蔵装置における冷却ユニットの除霜水等のドレン水を溜めるドレンパンと、前記ドレン水を蒸発するため前記ドレンパン内に備えられた蒸発布とを備え、蒸発布は多数片の集合として直方体形状のブロック体を形成するドレン水蒸発装置において、蒸発布を有効に活用でき、多くの蒸発量を得ることができる【解決手段】直方体形状のブロック体の蒸発布７の上面にシート状蒸発布２１を敷設し、このシート状蒸発布２１は周囲を側壁２１ａとして立ち上げ扁平箱体とした。【選択図】図１
2012172951.tif 000002
【特許請求の範囲】
【請求項１】
冷凍または冷蔵装置における冷却ユニットの除霜水等のドレン水を溜めるドレンパンと、前記ドレン水を蒸発するため前記ドレンパン内に備えられた蒸発布とを備え、蒸発布は多数片の集合として直方体形状のブロック体を形成するドレン水蒸発装置において、該直方体形状のブロック体の蒸発布上面にシート状蒸発布を敷設し、このシート状蒸発布は周囲を側壁として立ち上げ扁平箱体としたことを特徴とするショーケースのドレン水蒸発装置。
【請求項２】
直方体形状のブロック体の蒸発布上面には切り欠きにより凹所を形成し、扁平箱体としたシート状蒸発布はこの凹所に収める請求項１記載のショーケースのドレン水蒸発装置。
【発明の詳細な説明】
【技術分野】
【０００１】
本発明は、冷凍もしくは冷蔵ショーケース、冷蔵庫、冷凍庫等の冷凍または冷蔵装置における冷却ユニットで生じる除霜水などのドレン水を蒸発する蒸発装置に関し、特に該蒸発装置に備えられる蒸発布へ散水する装置の改良に関するものである。
【背景技術】
【０００２】
従来、この種のドレン水蒸発装置として例えば下記特許文献１や特許文献２に示すものがあり、これは図８に示すように、通常、商品を収納するケース本体１の下に備えられる機械室２内に配置され、該機械室２内には圧縮機（コンプレッサー）３、凝縮器４、送風機（ファン）５などが配設される。
【特許文献１】実開平２−２４２７２号公報
【特許文献２】特開２００１−２８０８１１号公報
【０００３】
そして、ドレン水蒸発装置は、図６、図７にも示すように、ドレン水を溜める受皿であるドレンパン６内に、長い蒸発布を九十九折するなどして、僅かな隙間をもって片を多数並べ、多数片の集合として直方体形状のブロック体を形成した蒸発布７と、該蒸発布７の上方に位置する散水パイプ１１とを配設している。
【０００４】
ドレンパン６内のドレン水を送るポンプ１２を同じドレンパン６内に配設し、該ポンプ１２に前記散水パイプ１１の端部を接続し、散水パイプ１１の上部に適宜間隔で上部に幅狭の散水口１１ｂを設けた。図中８は、蒸発布７を蛇行状に張設するための橋架桟である。
【０００５】
また、蒸発布７の上方にはケース本体１の底部に開口したドレン水の排水口に連通するドレンパイプ１０の先端を開口する。
【０００６】
これにより、ケース本体１からドレンパイプ１０に流入したドレン水はドレンパン６内に落ちてここに溜まる。ドレンパン６内のドレン水はポンプ１２により散水パイプ１１に吸い上げられ、散水口１１ｂから蒸発布７の上に散水する。
【０００７】
蒸発布７には、送風機５により圧縮機３および凝縮器４を通過した空気が当てられ、これらの排熱を利用して蒸発布７に含まれた水分が蒸発する。
【発明の開示】
【発明が解決しようとする課題】
【０００８】
しかし、このような蒸発装置においては、ドレンパイプ１０から直接直方体形状のブロック体を形成した蒸発布７の上面に滴下させても広がりを期待できないので、ドレンパイプ１０から一旦ドレンパン６にドレン水を貯留し、蒸発布７の毛細管現象によってドレン水を上方へ吸収させのでは、吸い上げに時間がかかり、かつ、上部まで万遍なく吸い上げられることは少ない。
【０００９】
また、ドレンパン６に貯留したドレン水をポンプ１２により散水パイプ１１に吸い上げて散水するにも、このポンプ１２の稼動はある程度ドレンパン６にドレン水が溜まったことを見計らって行うもので、断続運転となり、吸い上げに時間がかかる。
【００１０】
また、前記散水パイプ１１はその端部がポンプ１２に接続しており、しかも散水パイプ１１に形成した散水用の散水口１１ｂからのみドレン水が散水されることになり、蒸発布７の全体にドレン水を散水することができず、蒸発作用を良好に行うことが困難であった。
【００１１】
このように、蒸発布７の上部が有効に利用されず無駄になっている。したがって、配置スペース等の関係で蒸発布の背高を大きくすることに一定の限度がある状態では、蒸発量を大きくすることが難しかった。
【００１２】
なお、図５は改良の１案として、直方体形状のブロック体を形成した蒸発布７の上面にさらに１枚のシート状の蒸発布２１をキャノピー的に敷設した。
【００１３】
図中２２はポンプ１２と散水パイプ１１とを接続するホース、２３ａ，２３ｂは蒸発布７の前後の支え板、２４は蒸発布テープによる橋架桟である。
【００１４】
シート状の蒸発布２１はこれで散水パイプ１１からのドレン水をまず受けて、蒸発布７につなげるが、このシート状の蒸発布２１に十分ドレン水を浸透させて、ここから直方体形状のブロック体を形成した蒸発布７の上面に万遍なく行き渡させることがなかなか難しい。
【００１５】
本発明の目的は前記従来例の不都合を解消し、蒸発布を有効に活用でき、多くの蒸発量を得ることができるものであり、場合によっては、ポンプの動力を用いずとも、蒸発布の全体にわたって均等にドレン水が行き渡るようにし、ドレン水を効率よく蒸発できるようにしたショーケースのドレン水蒸発装置を提供することにある。
【課題を解決するための手段】
【００１６】
前記目的を達成するため請求項１記載の本発明は、冷凍または冷蔵装置における冷却ユニットの除霜水等のドレン水を溜めるドレンパンと、前記ドレン水を蒸発するため前記ドレンパン内に備えられた蒸発布とを備え、蒸発布は多数片の集合として直方体形状のブロック体を形成するドレン水蒸発装置において、該直方体形状のブロック体の蒸発布上面にシート状蒸発布を敷設し、このシート状蒸発布は周囲を側壁として立ち上げ扁平箱体としたことを要旨とするものである。
【００１７】
請求項１記載の本発明によれば、ケース本体からドレンパイプに流入したドレン水は、直方体形状のブロック体の蒸発布に行く前に、周囲を側壁として立ち上げ扁平箱体としたシート状蒸発布で受けられる。
【００１８】
ここでは、ドレン水は底部に万遍なく浸透するとともに、浸透しきれないものは貯留され、扁平箱体としたシート状蒸発布の全体で下方の直方体形状のブロック体の蒸発布上面にドレン水を行き渡らせることができる。
【００１９】
請求項２記載の本発明は、直方体形状のブロック体の蒸発布上面には切り欠きにより凹所を形成し、扁平箱体としたシート状蒸発布はこの凹所に収めることを要旨とするものである。
【００２０】
請求項２記載の本発明によれば、直方体形状のブロック体の蒸発布と扁平箱体としたシート状蒸発布の関係は、このシート状蒸発布を直方体形状のブロック体の蒸発布の凹所に収めるようにしたので、シート状蒸発布周囲の側壁も直方体形状のブロック体の蒸発布に接して、該側壁に浸透するドレン水も直方体形状のブロック体の蒸発布に直接受け渡すことができ、より、蒸発効率を上げることができる。
【発明の効果】
【００２１】
以上述べたように本発明のショーケースのドレン水蒸発装置は、冷凍または冷蔵装置における冷却ユニットの除霜水等のドレン水を溜めるドレンパンと、前記ドレン水を蒸発するため前記ドレンパン内に備えられた蒸発布とを備え、蒸発布は多数片の集合として直方体形状のブロック体を形成するドレン水蒸発装置において、蒸発布を有効に活用でき、多くの蒸発量を得ることができるものである。
【００２２】
また、場合によっては、ポンプの動力を用いずとも、蒸発布の全体にわたって均等にドレン水が行き渡るようにし、ドレン水を効率よく蒸発できるようになるので、ドレンパンにポンプや散水パイプを設ける必要がなく、コストの削減を実現できるものである。
【発明を実施するための最良の形態】
【００２３】
以下、本発明の実施形態を詳細に説明する。図１、図２は本発明のショーケースのドレン水蒸発装置の第１形態を示すもので、冷凍または冷蔵装置における冷却ユニットの除霜水等のドレン水を溜めるドレンパン６と、前記ドレン水を蒸発するため前記ドレンパン６内に備えられた蒸発布７とを備え、蒸発布７は多数片の集合として直方体形状のブロック体を形成する点は前記従来例と同じである。
【００２４】
直方体形状のブロック体を形成する蒸発布７は、長い蒸発布を九十九折するなどして、僅かな隙間をもって片を多数並べ、多数片の集合として形成したものであり、蒸発布テープによる橋架桟２４で蒸発布７を蛇行状に張設する。
【００２５】
前記蒸発布７の上面にシート状蒸発布２１を敷設する点は前記図５と同じであるが、本発明はこのシート状蒸発布２１は周囲を側壁２１ａとして立ち上げ、上面解放の扁平箱体とした。
【００２６】
ケース本体１からドレンパイプ１０に流入したドレン水（図８参照）を、直方体形状のブロック体の蒸発布７に行く前に、この周囲を側壁２１ａとして立ち上げ扁平箱体としたシート状蒸発布２１で受けるようにする。
【００２７】
このようにすると、ドレン水はまず、シート状蒸発布２１に貯められ、それからシート状蒸発布２１の底面および側壁２１ａに浸透して、直方体形状のブロック体の蒸発布７の上面全体に流れていく。
【００２８】
図３、図４は第２形態を示すもので、直方体形状のブロック体の蒸発布７の上面には切り欠きにより凹所２５を前記ブロック体の長さ方向に延びるように形成し、扁平箱体としたシート状蒸発布２１はこの凹所２５に収めるものとする。
【００２９】
凹所２５は全体を矩形に形成し、ここに扁平箱体としたシート状蒸発布２１の底面と側面が十分接合するようにすることが望ましい。
【００３０】
なお、凹所２５に扁平箱体としたシート状蒸発布２１が完全に収まる必要はなく、シート状蒸発布２１の側壁２１ａが一部、露出してもよい。
【００３１】
また、逆に凹所２５を掘り下げ、側壁２１ａが凹所２５の下のみに位置していてもよい。
【００３２】
以上の実施形態はドレンパン６にはドレン水を送るポンプや該ポンプに端部を接続する散水パイプの設置を省略した例を示したが、これらポンプや散水パイプを設置し、散水パイプからのドレン水を扁平箱体としたシート状蒸発布２１に流すようにしてもよい。
【図面の簡単な説明】
【００３３】
【図１】本発明のショーケースのドレン水蒸発装置の第１形態を示す斜視図である。
【図２】本発明のショーケースのドレン水蒸発装置の第１形態で設置する蒸発布の斜視図である。
【図３】本発明のショーケースのドレン水蒸発装置の第２形態を示す斜視図である。
【図４】本発明のショーケースのドレン水蒸発装置の第２形態で設置する蒸発布の斜視図である。
【図５】従来例を示す斜視図である。
【図６】他の従来例を示す斜視図である。
【図７】他の従来例を示す縦断側面図である。
【図８】従来のドレン水蒸発装置を機械室に設置した状態の縦断側面図である。
【符号の説明】
【００３４】
１ケース本体                ２  機械室
３圧縮機                    ４  凝縮器
５送風機                    ６  ドレンパン
７蒸発布                    ８  橋架桟
１０ドレンパイプ            １１  散水パイプ
１１ｂ散水口                １２  ポンプ
２１シート状の蒸発布        ２２  ホース
２３ａ，２３ｂ  支え板      ２４  橋架桟
２５凹所
【図１】
2012172951.tif 000003
【図２】
2012172951.tif 000004
【図３】
2012172951.tif 000005
【図４】
2012172951.tif 000006
【図５】
2012172951.tif 000007
【図６】
2012172951.tif 000008
【図７】
2012172951.tif 000009
【図８】
2012172951.tif 000010